(57)【要約】【課題】屋内と屋外との熱移動を妨げ、屋内と屋外との温度差を維持するための断熱パネルを提供することを目的とする。【解決手段】平行な２枚の板状体１２の間に、板状体の複数のリブ１３を垂直に設けることによって一体化され、板状体１２とリブ１３によって仕切られた複数の貫通孔１４が形成されたプラスチック中空板１と、いずれかの貫通孔１４に、摺動可能に設けられる内磁石と、プラスチック中空板１の外側から前記内磁石と吸着させる外磁石、あるいは強磁性体と、を有する構成とした。【選択図】図３
2019214917.tif 000002
【特許請求の範囲】
【請求項１】
平行な２枚の板状体の間に、板状体の複数のリブを垂直に設けることによって一体化され、
前記板状体と前記リブによって仕切られた複数の貫通孔が形成されたプラスチック中空板と、
いずれかの前記貫通孔に、摺動可能に設けられる内磁石と、を有することを特徴とする、断熱パネル。
【請求項２】
前記プラスチック中空板の外側から前記内磁石と吸着させる外磁石、あるいは強磁性体を更に有することを特徴とする、請求項１に記載の断熱パネル。
【請求項３】
前記プラスチック中空板の外周の全部又は一部に、断面略Ｌ字型の縁材が設けられることを特徴とする、請求項１又は２に記載の断熱パネル。
【請求項４】
いずれかの前記貫通孔に、摺動可能に設けられる前記内磁石について、
当該内磁石が、前記プラスチック中空板の略中央の前記貫通孔に設けられることを特徴とする、請求項１〜３のいずれかに記載の断熱パネル。
【請求項５】
前記プラスチック中空板が、ポリカーボネート中空板であることを特徴とする、請求項１〜４のいずれかに記載の断熱パネル。
【発明の詳細な説明】
【技術分野】
【０００１】
本発明は、屋内と屋外との熱移動を妨げ、屋内と屋外との温度差を維持するための断熱パネルに関するものである。
【背景技術】
【０００２】
従来、多くの住宅、施設等では、非断熱性（＝断熱効果の少ない）の窓が設置されている。
【０００３】
非断熱性の窓が設置されている住宅、施設等においては、屋内の熱が屋外に流出する熱損失の約５０％が、窓からというデータも示されている。
【０００４】
この熱損失を防ぐ対策としては、１）断熱性の窓への交換、２）二重窓（＝内窓）の設置、３）窓のガラスをアタッチメント式ペアガラス（＝２枚の板ガラスよりなる断熱ガラス）へ交換すること、４）窓のガラスを真空ペアガラスへ交換することがある。
【先行技術文献】
【特許文献】
【０００５】
【特許文献１】特開２０１２−２０６９２０号公報
【０００６】
例えば、特許文献１では、屋外側の板ガラスの屋内側壁面に、近赤外線を遮蔽する遮熱層を形成するとともに、屋内側の板ガラスの屋内側壁面に、遠赤外線を反射する熱線反射層を形成する、ペアガラスの構成が開示されている。これによって、夏季の冷房効果と冬季の暖房効果とを両立して向上させる。
【発明の開示】
【発明が解決しようとする課題】
【０００７】
しかしながら、上述した１）〜４）の方法では、設置に手間がかかり、また、費用が高い、そのため、普及が進んでいない。
【０００８】
そこで、本発明は、上述の課題を解決するため、屋内と屋外との熱移動を妨げ、屋内と屋外との温度差を維持するための断熱パネルを提供することを目的とする。
【課題を解決するための手段】
【０００９】
請求項１の発明は、
平行な２枚の板状体の間に、板状体の複数のリブを垂直に設けることによって一体化され、
前記板状体と前記リブによって仕切られた複数の貫通孔が形成されたプラスチック中空板と、
いずれかの前記貫通孔に、摺動可能に設けられる内磁石と、を有する、断熱パネルとした。
【００１０】
また、請求項２の発明は、
前記プラスチック中空板の外側から前記内磁石と吸着させる外磁石、あるいは強磁性体を更に有する、請求項１に記載の断熱パネルとした。
【００１１】
また、請求項３の発明は、
前記プラスチック中空板の外周の全部又は一部に、断面略Ｌ字型の縁材が設けられる、請求項１又は２に記載の断熱パネルとした。
【００１２】
また、請求項４の発明は、
いずれかの前記貫通孔に、摺動可能に設けられる前記内磁石について、
当該内磁石が、前記プラスチック中空板の略中央の前記貫通孔に設けられる、請求項１〜３のいずれかに記載の断熱パネルとした。
【００１３】
また、請求項５の発明は、
前記プラスチック中空板が、ポリカーボネート中空板である、請求項１〜４のいずれかに記載の断熱パネルとした。
【発明の効果】
【００１４】
本発明によれば、設置対象が、住宅や施設等の窓の場合には、当該窓の屋内側のガラスに、プラスチック中空板を配置させ、いずれかの貫通孔内の内磁石の位置と対向する位置に、屋外側から窓のガラスの上に外磁石又は強磁性体を配置する。あるいは、設置対象がマンション等の鋼鉄製の玄関ドアの場合には、当該玄関ドアに、プラスチック中空板を配置させる。このように、窓やドアに本発明に係る断熱パネルを設置することによって、当該窓の断熱効果を高め、結露の発生を抑制することができる。
【００１５】
また、本発明は、磁石を使って窓等に吸着させることで設置が完了するため、特別な設置工事を行う必要がなく、便宜である。
【００１６】
また、本発明は、磁石を使って窓等に吸着させるだけで設置が完了するため、取り付け・取り外しを日常的に行うことができ、本発明を取り付けている窓等の掃除を簡単に行うことができる。
【００１７】
更に、本発明は、磁石を使って窓等に吸着させる構成であるため、窓等から取り外した際に、テープや接着剤の跡が残る等、窓等を汚すことなく、便宜である。
【００１８】
また特に、プラスチック中空板の外周に、断面略Ｌ字型の縁材を設けた構成の場合には、平面性を維持したまま、プラスチック中空板に剛性が付加され、本発明を窓のガラス等に取り付けた際に、窓のガラス等にプラスチック中空板が密着し、窓のガラス等とプラスチック中空板との隙間がなくなる。プラスチック中空板と窓のガラス等との間に隙間があると、その隙間の空気によって、結露が発生する。しかし、プラスチック中空板を隙間なく窓のガラス等に吸着させることによって、隙間にある空気を排除することができ、結露の発生を防止できる。
【００１９】
また特に、板状体とリブによって形成された複数の貫通孔のうち、略中央の貫通孔に、摺動可能に内磁石が設けられる構成の場合には、プラスチック中空板の大きさが大きく、反ってしまい、プラスチック中空板の略中央部が浮いてしまう際に、この浮いた状態を抑制し、窓のガラス等にプラスチック中空板を密着させ、窓のガラス等とプラスチック中空板との隙間がなくすことができる。そのため、この隙間にある空気を排除することができ、結露の発生をより効果的に防止できる。
【図面の簡単な説明】
【００２０】
【図１】本発明の実施の形態例１の断熱パネルの使用状態を示す縦断面図である。
【図２】本発明の実施の形態例１の断熱パネルの正面図である。
【図３】本発明の実施の形態例１の断熱パネルの横断面図である。
【図４】本発明の実施の形態例１の断熱パネルのプラスチック中空板の構成と内磁石の位置を例示的に示す正面図である。
【図５】本発明の実施の形態例１の断熱パネルを引違い窓に用いた使用状態を示す縦断面図である。
【図６】本発明の実施の形態例１の断熱パネルの性能実験で用いた装置の平面図である。
【図７】本発明の実施の形態例１の断熱パネルの性能実験で用いた装置による、氷水の温度変化に対する、窓のガラスの表面の温度変化と、断熱パネルの表面の温度変化を示したグラフである。
【図８】本発明の実施の形態例１の断熱パネルを、実装実験において、窓のサッシによって上下に２分割された下側の窓のガラスに設置した状態を示す図である。
【発明を実施するための形態】
【００２１】
（実施の形態例１）
以下、本発明の実施の形態例１を図１〜図８に基づいて説明する。図１は実施の形態例１の断熱パネルＡの使用状態を示す縦断面図であり、断熱パネルＡのプラスチック中空板１が窓のガラス５に吸着・固定された状態を示している。
【００２２】
＜断熱パネルＡの構成＞
断熱パネルＡは、主としてプラスチック中空板１、内磁石２、外磁石３から構成されている。断熱パネルＡのプラスチック中空板１は、プラスチック中空板１内の上下方向に伸びた複数の貫通孔１４内のいずれかに、摺動可能に設けられた内磁石２と、プラスチック中空板１の外側から、内磁石２に対向して設けられる外磁石３との間で生じる磁力によって、窓のガラス５に吸着・固定される。
【００２３】
プラスチック中空板１は、図２に示すように、正面が略正方形の薄板状である。なお、本実施の形態例では、プラスチック中空板１について、正面が略正方形の構成を示したが、この構成に限定されるものではなく、プラスチック中空板１が例えば、正面が略長方形の構成としても良い。即ち、プラスチック中空板１の形及び大きさは、吸着・固定させる窓のガラス５の形に合わせて適宜変更できる。
【００２４】
また、図２及び図３に示すように、プラスチック中空板１の外周に沿って、水平方向の断面（＝横断面）が略Ｌ字型の縁材１１が設けられている。この縁材１１は、プラスチック中空板１が反ったり、撓んだりしないように、補強のために四辺に取り付けられる。そのため、縁材１１は、ある程度の剛性がある、例えば、プラスチック製である。
【００２５】
また、縁材１１は、図３に示すように、水平方向（横）の断面が略Ｌ字型であり、吸着・固定される窓のガラス５の面に対し、プラスチック中空板１と比べて、突出していない。そのため、窓のガラス５にプラスチック中空板１を吸着させても、窓のガラス５とプラスチック中空板１との隙間が生じない。プラスチック中空板１と窓のガラス５との間に隙間があると、その隙間の空気によって、結露が発生する。しかし、プラスチック中空板１を隙間なく窓のガラス５に吸着させることによって、隙間にある空気を排除することができ、結露の発生を防止できる。
【００２６】
また、図３及び図４に示すように、プラスチック中空板１には、平行の２枚の板状体１２の間に、板状体の複数のリブ（＝肋材）１３が、垂直に設けられている。そして、プラスチック中空板１は、２枚の板状体１２と、板状体の複数のリブ１３によって一体化されている。
【００２７】
また、平行の２枚の板状体１２の間に、板状体の複数のリブ（＝肋材）１３が、垂直に設けられ仕切られていることによって、プラスチック中空板１には、プラスチック中空板１の上下方向に伸びた直方体状の貫通孔１４が、複数個形成される（図３及び図４に示す本実施の形態例では、貫通孔１４が１３個形成されている）。
【００２８】
なお、プラスチック中空板１及び縁材１１は、略透明であるものが望ましい。窓のガラス５に設置した際に、窓のガラス５の採光を遮ることなく、便宜であるためである。但し、プラスチック中空板１及び縁材１１は、略透明のものに限定されるわけではない。例えば、色つきのカラーパネルであっても良い。また、プラスチック中空板１及び縁材１１の表面等を加工して、紫外線や熱等を遮断する効果を高める構成としても良い。例えば、酸化亜鉛や銀等の金属膜をコーティングして「Ｌｏｗ−ｅ仕様」として、遮熱・断熱効果を高める構成としても良い。また、プラスチック中空板１及び縁材にＵＶカット剤をコーティングにして、紫外線の遮断効果を高める構成としても良い。
【００２９】
また、プラスチック中空板１は、ポリカーボネート（＝ポリカ）中空板であることが望ましい。ポリカーボネート中空板は、現在汎用材料として広く普及されているため、入手しやすく、価格も低下しているためである。また、ポリカーボネート中空板は、厚さが４（mm）〜１０（mm）程度のものが、断熱性能が高く、また、透明性も高いため、窓のガラス５に設置しても、採光を遮ることなく、断熱機能を有する窓となるためである。
【００３０】
また、本実施の形態例では、プラスチック中空板１の外周の全部に、縁材１１を設ける構成を示したが、この構成に限定されるものではない。例えば、プラスチック中空板１の上端及び下端に在る、各貫通孔１４の開口部を塞ぐために、縁材１１をプラスチック中空板１の外周のうち、上端及び下端に設ける構成としても良い。つまり、プラスチック中空板１の外周の一部に、縁材１１を設ける構成としても良い。
【００３１】
また、本実施の形態例では、プラスチック中空板１の各貫通孔１４の開口部を、縁材１１によって塞ぐ構成を示したが、この構成に限定されるものではない。プラスチック中空板１の上端及び下端に在る、各貫通孔１４の開口部を、テープや板状体等で、全て塞ぐ構成としても良い。あるいは、プラスチック中空板１の上端及び下端に在る、各貫通孔１４の開口部のうち、内磁石２が設けられた貫通孔１４の開口部のみを、テープや板状体等で、塞ぐ構成としても良い。
【００３２】
内磁石２は、図４に示すように、いずれかの貫通孔１４内に摺動可能に設けられている。図４では、プラスチック中空板１の貫通孔１４のうち、左部、略中央部、右部といった３カ所の貫通孔１４内に、２個、１個、２個の合計５個の内磁石２が夫々設けられている。このように、略中央部の貫通孔１４に、内磁石２を設ける構成の場合には、設置したプラスチック中空板１の大きさが大きく、反ってしまい、プラスチック中空板１の略中央部が浮いてしまう際に、この浮いた状態を抑制し、窓のガラス５にプラスチック中空板１を密着させ、窓のガラス５とプラスチック中空板１との隙間がなくすことができる。そのため、この隙間にある空気を排除することができ、結露の発生をより効果的に防止できる。
【００３３】
また、内磁石２は、いずれかの貫通孔１４内に摺動可能に設けられる構成であるため、つまり、貫通孔１４内の内磁石２を上下に動かすことができるように、内磁石２の縦と横の大きさは、貫通孔１４の縦と横の大きさより小さくなければならない。
【００３４】
内磁石２の材質は、例えば、ネオジム磁石である。しかし、この構成に限定されるものではなく、内磁石２の材質は、フェライト磁石、サマリウムコバルト磁石、アルニコ磁石のいずれでも良い。つまり、内磁石２は、複数の内磁石２を用いて磁力によって、プラスチック中空板１を、窓のガラス５に吸着・固定させることが可能な構成であれば良い。
【００３５】
なお、本実施の形態例では、図４に示すように、プラスチック中空板１の貫通孔１４のうち、左部、略中央部、右部といった３カ所の貫通孔１４内に、内磁石２を、２個、１個、２個夫々設ける構成を示したが、この構成に限定されるものではない。何個の内磁石２を用いるのか、どの貫通孔１４内に内磁石２を設けるのかといったことは、断熱パネルＡを設置する窓のガラス５の大きさや、内磁石２と外磁石３の吸着状況等に応じて、適宜選択可能である。
【００３６】
また、テープや布等を巻いて、貫通孔１４の中で動かないようにして、内磁石２を使用する構成としても良い。例えば、プラスチック中空板１の四隅から（＝左部及び右部の貫通孔１４の上端及び下端）、テープや布等を巻いて厚さを大きくした、内磁石２を夫々入れて、各内磁石２を貫通孔１４の上端又は下端付近で詰まらせる。また、プラスチック中空板１の略中央部の貫通孔１４の上端又は下端から、テープや布等を巻いていない、通常の内磁石２を入れる。その後、縁材１１を取り付けて各貫通孔１４の上端及び下端を塞ぐ。そして、断熱パネルＡを窓のガラス５に設置する際には、プラスチック中空板１の略中央部の貫通孔１４内に設けられている内磁石２を外磁石３と吸着させながらずらして、プラスチック中空板１の略中央部に、当該内磁石２を配置する。このような構成としても良い。
【００３７】
外磁石３は、プラスチック中空板１を介して（プラスチック中空板１の外側から）、内磁石２と対応して用いられる。例えば、図４に示す本実施の形態例では、内磁石２を５個使用しているため、外磁石３も対応して５個使用する。また、内磁石２と外磁石３を吸着させる必要があるため、内磁石２と、内磁石２に対向させる外磁石３の極性を異ならせる必要があることは言うまでもない。
【００３８】
また、外磁石３の材質は、例えば、フェライト磁石、サマリウムコバルト磁石、アルニコ磁石のいずれでも良いが、通常は、磁力や使いやすさから、内磁石２と同種で略同じ大きさの磁石を外磁石３として用いる。
【００３９】
本実施の形態例では、内磁石２に対応して、外磁石３が用いられる構成を示したが、この構成に限定されるものではない。磁力によってプラスチック中空板１を窓のガラス５に吸着できる構成であれば良いため、内磁石２又は外磁石３のいずれかについて、磁石の代わりに、例えば、鉄やニッケルといった強磁性体（＝隣り合うスピンが同一の方向を向いて整列し、全体として大きな磁気モーメントを有するもの）を用いる構成としても良い。
【００４０】
＜断熱パネルＡの厚さ＞
次に、断熱パネルＡの厚さについて説明する。プラスチック中空板１の厚さは、縁材１１の厚さを加えて、約４（mm）が望ましい。そのため、プラスチック中空板１のいずれかの貫通孔１４内に摺動可能に設けられる内磁石２の厚さは、プラスチック中空板１の厚さに合わせて、約２（mm）が望ましい。そして、内磁石２と同種で略同じ大きさの磁石を外磁石３に用いるとすると、外磁石３の厚さは、約２（mm）が望ましい。
【００４１】
従って、断熱パネルＡが設置された窓のガラス５は、プラスチック中空板１が設置された屋内側の厚さが、約４（mm）増加し、外磁石３が設置された屋外側の厚さが、約２（mm）増加する。この程度の厚さの増加であれば、図５に示すように、引違い窓（＝２枚以上の窓を、平行した２本以上の窓のレール５２の上を水平移動させることで、開閉する。図５では、窓は２枚。）の夫々のガラス５に、断熱パネルＡを設置しても、引っ掛かることなく、支障なく窓の開閉を行うことができ、便宜である。
【００４２】
＜断熱パネルＡの吸着・固定の手順＞
断熱パネルＡのプラスチック中空板１を屋内側から、設置対象の窓のガラス５に配置する。そして、いずれかの貫通孔１４内の内磁石２の位置と対向する位置に、屋外側から窓のガラス５の上に外磁石３を配置する。そして、内磁石２と外磁石３を吸着させる。内磁石２と外磁石３が磁力によって吸着することにより、プラスチック中空板１が窓のガラス５に吸着・固定される。そして、内磁石２及び外磁石３の位置を変更する場合には、外磁石３を上下方向にずらして動かす。
【００４３】
上記の手順を、一人の作業者等のユーザが行っても良いし、複数の作業者等のユーザが行っても良い。例えば、窓の大きさが小さい場合には、作業者等のユーザは、屋内側から、プラスチック中空板１を一方の手で押さえておき、屋外に他方の手を出して外磁石３を、貫通孔１４内の内磁石２の位置と対向する窓のガラス５上に配置する。または、作業者等のユーザが、屋内側からプラスチック中空板１を押さえる。そして別の作業者等のユーザが、屋外側から外磁石３を、貫通孔１４内の内磁石２の位置と対向する窓のガラス５上に配置する。
【００４４】
このように、断熱パネルＡは、特別な設置工事を行うことなく、簡単な作業で設置することができ、便宜である。
【００４５】
また、断熱パネルＡは、内磁石２及び外磁石３を使って窓のガラス５に吸着させるだけで設置が完了するため、取り付け・取り外しを日常的に行うことができ、対象の窓の掃除を簡単に行うことができる。
【００４６】
更に、断熱パネルＡは、内磁石２及び外磁石３を使って窓のガラス５に設置する構成であるため、窓から取り外した際に、テープや接着剤の跡が残る等、窓を汚すことなく、便宜である。
【００４７】
＜断熱パネルＡの性能実験＞
次に、断熱パネルＡについて行った性能実験について説明する。図６は、本性能実験で用いた装置Ｄの平面図である。
【００４８】
中央部のアクリル製水槽６に氷水を入れ（図６の斜線部分）、真冬の温度の屋外環境を作った。そして、左部に、窓のガラス５に断熱パネルＡを取り付けた屋内環境Ｂを作った。また、右部に窓のガラス５のみで、断熱パネルＡを取り付けていない屋内環境Ｃを作った。
【００４９】
また、温度を測定する温度計７を、アクリル製水槽６の氷水内、屋内環境Ｂの屋内略中央部、屋内環境Ｂの断熱パネルＡの表面、屋内環境Ｃの屋内略中央部、屋内環境Ｃの窓のガラス５の表面に、夫々設置した。そして、各箇所に設けられた温度計７で、温度を測定した。
【００５０】
屋内環境Ｃの窓のガラス５の表面の温度と比較して、断熱パネルＡの表面の温度が高ければ高いほど、断熱効果があり、結露防止効果も高いことになる。
【００５１】
図７は、氷水の温度変化に対する、屋内環境Ｃの窓のガラス５の表面の温度変化と、屋内環境Ｂの断熱パネルＡの表面の温度変化を示したグラフである。プロットした点が「ひし形」になっているのは、屋内環境Ｂの断熱パネルＡの表面の温度変化を示しており、プロットした点が「正方形」になっているのは、屋内環境Ｃの窓のガラス５の表面の温度変化を示している。なお、プロットした点が「三角形」になっているのは、アクリル製水槽６の氷水の温度変化を示している。
【００５２】
図７に示す温度変化のグラフによると、測定開始から約２５分後に温度変化が安定し、その結果、屋内環境Ｂの断熱パネルＡの温度が、「約１３（℃）」、屋内環境Ｃの窓のガラス５の温度が、「約８（℃）」、氷水の温度が、「約６（℃）」となり、断熱パネルＡと窓のガラス５の温度差は、「約５（℃）」になった。つまり、この実験結果によると、外気温が「約６（℃）」と真冬の環境では、窓のガラス５の温度は、「約８（℃）」になったが、断熱パネルＡを設置した場合、「約１３（℃）」になった。
【００５３】
これらの結果を、「空気線図」で確認する。なお、「空気線図」は、線図上に、乾球／湿球温度、露点温度、絶対／相対湿度、エンタルピーなどを記入し、その中からいずれか２つの値を定めることで、他の状態値を簡易的に全て求めることができるようにした線図であり、空調の分野では良く知られている。
【００５４】
断熱パネルＡを設置していない、窓のガラス５だけの屋内環境Ｃの場合に、露点温度（＝湿り空気を徐々に冷やしていくと、ある温度で飽和し、空気中の水蒸気が液体へ変化し始める。その温度を指す）は、窓のガラス５の温度「約８（℃）」となる。そのため、屋内環境Ｃの温度が「２０（℃）」の場合、湿度が「５０（％）」以上になると、屋内環境Ｃの窓のガラス５に結露が発生する。
【００５５】
一方、窓のガラス５に断熱パネルＡを設置した屋内環境Ｂの場合には、露点温度は、断熱パネルＡの温度「約１３（℃）」となる。そのため、屋内環境Ｂの温度が「２０（℃）」の場合、湿度が「約６５（％）」を超えないと、断熱パネルＡに結露は発生しない。また、湿度が「５０（％）」の場合、屋内環境Ｂの温度が「約２４（℃）」を超えないと、断熱パネルＡに結露は発生しない。
【００５６】
つまり、窓のガラス５に断熱パネルＡを設置していない屋内環境Ｃより、断熱パネルＡを設置した屋内環境Ｂの方が、露点温度が高くなる。そのため、断熱パネルＡには断熱効果があり、結露防止効果も高いことが分かる。
【００５７】
＜断熱パネルＡの実装実験＞
マンションの窓のガラス５に、断熱パネルＡを設置し、赤外線温度計とサーモグラフィで確認した。詳しくは、図８に示すように、窓のサッシ５１によって上下に２分割された下側の窓のガラス５に、断熱パネルＡを設置した。上側の窓のガラス５は、そのままである。
【００５８】
上側の窓のガラス５の表面温度を赤外線温度計によって測定したところ、「７（℃）」であった。下側の窓のガラス５に設置された断熱パネルＡの表面温度を赤外線温度計によって測定したところ、「１１（℃）」であった。
【００５９】
また、サーモグラフィで撮影したところ、上側の窓のガラス５は、温度が低いため、赤く表示されなかったが、下側の断熱パネルＡの部分は、温度が高いため、赤く表示された。
【００６０】
更に、洗濯物を干して湿度を上げて、結露の発生を促したところ、上側の窓のガラス５の一面に結露が発生したが、下側の窓のガラス５には、結露は発生しなかった。
【００６１】
つまり、断熱パネルＡを設置していない窓のガラス５より、断熱パネルＡを設置した窓のガラス５の方が、露点温度が高くなる。そのため、断熱パネルＡには断熱効果があり、結露防止効果も高いことが分かる。
【００６２】
＜変形例＞
本実施の形態例では、プラスチック中空板１の貫通孔１４が、プラスチック中空板１の上下方向に、平行して複数設けられる構成を示したが、この構成に限定されるものではない。例えば、プラスチック中空板１の貫通孔１４が、プラスチック中空板１の左右方向に、平行して複数設けられる構成としても良い。
【００６３】
また、本実施の形態例では、窓のガラス５に対し、断熱パネルＡを適用する構成を示したが、この構成に限定されるものではない。例えば、断熱パネルを鋼鉄製の玄関ドアに適用することも可能である。
【００６４】
数十年以上の築年数が経っているマンション等では、鋼鉄製の玄関ドアが多く採用されている。鋼鉄製の玄関ドアは、結露の発生頻度が高く、玄関が寒いという問題点がある。このような鋼鉄製の玄関ドアに、本発明に係る断熱パネルを設置することで、結露の発生を防止し、屋外の冷気を遮断することができる。
【００６５】
なお、鋼鉄製の玄関ドアは強磁性体であるため、外磁石３を使用することなく、内磁石２を使用してプラスチック中空板１を玄関ドアに吸着させる。また、プラスチック中空板１の貫通孔１４内に設けられている内磁石２の移動については、屋内側から、プラスチック中空板１を介して、外磁石３を用いて行う。
【００６６】
＜本発明の用途＞
本発明に係る断熱パネルは、断熱性能が非常に優れているため、マンションや戸建て住宅の非断熱の窓をはじめ、市営住宅、幼稚園、老人ホームその他の公共施設等の非断熱の窓に設置することにより、二重窓サッシの設置、ペアガラスへの交換等に比べて、低価格で寒さ対策を行うことができる。
【００６７】
家庭内での死亡事故の原因として一番多い、脱衣所、浴室、トイレ等でのヒートショックを防止するために。脱衣所や浴室等の窓やドアに本発明に係る断熱パネルを設置することは、非常に有効である。
【００６８】
密閉性は高いが、非断熱性の窓が採用されているマンションでは、窓に結露が発生しやすく、サッシの腐朽やカビの発生が問題であるが、窓に本発明に係る断熱パネルを設置することで、結露の発生を抑制することができる。
【００６９】
住宅や施設等が古くて寒いが、大きな費用をかけてリフォームすることができない場合であっても、各窓に本発明に係る断熱パネルを設置することで、かなり暖かな住宅、施設等になる。
【符号の説明】
【００７０】
Ａ：断熱パネル、
Ｂ：屋内環境、Ｃ：屋内環境、
Ｄ：装置、
１：プラスチック中空板、１１：縁材、１２：板状体、１３：リブ、１４：貫通孔、
２：内磁石、
３：外磁石、
５：窓のガラス、５１：窓のサッシ、５２：窓のレール
６：アクリル製水槽、
７：温度計
【図１】
2019214917.tif 000003
【図２】
2019214917.tif 000004
【図３】
2019214917.tif 000005
【図４】
2019214917.tif 000006
【図５】
2019214917.tif 000007
【図６】
2019214917.tif 000008
【図７】
2019214917.tif 000009
【図８】
2019214917.tif 000010